(57)【要約】【課題】エアフィルターの定期的な清掃の煩わしさを解消し、常に良好な送風状態を確保する。【解決手段】空気調和機本体内部の熱交換器と吸入口との間にフィルター装置を設け、前記フィルター装置にフィルター枠と、エアフィルターと、フィルターに沿って左右方向に移動可能な吸入ノズルを２個、フィルター左右幅の半分の距離をあけて設け、前記吸入ノズルに吸引ホースを設け、さらに前記吸引ホースに連結する吸引排気装置と排気ダクトを具備する。【選択図】  図１
2004347227.tif 000002
【特許請求の範囲】
【請求項１】
空気調和機本体内部の熱交換器と吸入口との間にフィルター装置を設け、前記フィルター装置にフィルター枠と、エアフィルターと、フィルターに沿って左右方向に移動可能な吸入ノズルを２個、フィルター左右幅の半分の距離をあけて設け、前記吸入ノズルに吸引ホースを設け、さらに前記吸引ホースに連結する吸引排気装置と排気ダクトを具備したことを特徴とする空気調和機のフィルター装置。
【請求項２】
前記２個の吸入ノズルの吸入経路をフィルター下部近傍で合流させ、合流した吸入経路を、前記吸引ホースに連結したことを特徴とする請求項１に記載の空気調和機のフィルター装置。
【請求項３】
前記合流後の吸入経路と、前記吸引ホースの連結部を、２個の吸入ノズルのうち、吸引排気装置から遠い方の吸入ノズルの下部近傍に設けたことを特徴とする請求項２に記載の空気調和機のフィルター装置。
【発明の詳細な説明】
【０００１】
【発明の属する技術分野】
本発明は、フィルターの清掃を自動的に行うようにした空気調和機のフィルター装置に関するものである。
【０００２】
【従来の技術】
従来の空気調和機のフィルター装置は、図６に示すように熱交換器１２の前面に、空気調和機の本体内部へ埃が侵入することを防ぐためのエアフィルター６が設けられており、このエアフィルター６は、付着した塵埃を手で清掃できるように着脱自在に構成されている。そして、付着した粉塵を取り除く為の周期的なメンテナンスを必要としていた。そこで、エアフィルターに付着した粉塵を回転ブラシで取り除く方法や、直線状の吸込み機構を移動する方法や、ブラシで埃を箱におとす方法があった（例えば特許文献１、２、３参照））。
【０００３】
【特許文献１】
特開平１１−２２６３３１号公報
【特許文献２】
特開平１−７５０２０号公報
【特許文献３】
特開平６−７４５２１号公報
【０００４】
【発明が解決しようとする課題】
しかしながら、上記従来の構成のフィルター装置の構成では動作手段に制約があったり、集塵後の埃処理の手間が発生し、確実な手段ではなかった。
【０００５】
また、他の方式も動作手段に制約があったり、本体サイズが拡大化し、確実な手段ではなかった。
【０００６】
本発明は、このような従来の課題を解決するものであり、エアフィルターの清掃を自動的に行うことが可能になり、このことにより、空気調和機の性能維持、及び消費電力の増大防止を提供することを目的とする。
【０００７】
【課題を解決するための手段】
上記課題を解決するために、本発明のフィルター装置は、空気調和機本体内部の熱交換器と吸入口との間にフィルター装置を設け、前記フィルター装置にフィルター枠と、エアフィルターと、フィルターに沿って左右方向に移動可能な吸入ノズルを２個、フィルター左右幅の半分の距離をあけて設け、前記吸入ノズルに吸引ホースを設け、さらに前記吸引ホースに連結する吸引排気装置と排気ダクトを具備したものである。
【０００８】
上記構成により、エアフィルターの清掃を自動的に行うことが可能になる。このことにより、空気調和機の性能維持、及び消費電力の増大防止を図ることができる。
【０００９】
【発明の実施の形態】
以下、本発明の実施の形態について、図面を参照しながら説明する。
【００１０】
（実施の形態）
図１、図２、図３、図４、図５において、フィルター装置１の構成は、フィルター枠２と、エアフィルター６と、フィルターに沿って左右方向に移動可能な吸入ノズル５を設け、この吸入ノズル５に伸縮自在な蛇腹形状の吸引ホース８を設け、さらに前記吸引ホース８に連結する吸引排気装置７と排気ダクト９を具備したものである。
【００１１】
また、本発明においては、吸入ノズル５はフィルター左右幅の半分の距離を空けて設けられた２個の吸入ノズル５１、５２とからなり、この２個のノズル内の吸入経路はフィルター下部に設けられた合流部１４で合流している。さらにこの合流部で合流後の吸入経路と、前記吸引ホースを、２個の吸入ノズルのうち、吸引排気装置と遠い側の吸入ノズルの下部近傍の連結部１５で連結した。
【００１２】
このように構成されたフィルター装置１の動作について説明する。
【００１３】
空気調和機本体１２の運転停止後に、吸引排気装置７が運転開始する。
【００１４】
吸入ノズル５に設けられた２個の吸入ノズル５１、５２には、それぞれ吸入口５ａがエアフィルター６の表面に向かって開口しており、吸引排気装置７の運転とともに、吸入口５ａから空気を吸い込み始める。エアフィルター６の表面についた埃はこの空気に乗って、吸入ノズル５１、５２内に吸込まれる。
【００１５】
吸入ノズル５１、５２内の吸入経路に入った埃は、合流部１４、連結部１５を通過して、伸縮自在な蛇腹形状の吸引ホース８経由で、本体左端側に置かれた吸引排気装置７に吸込まれ、排気ダクト９から室外へ吐き出される。
【００１６】
一方、エアフィルター６の右端に位置していた連結部１５が、駆動モータ１１に連結された駆動用ワイヤー１０によってＡの矢印左方向にエアフィルター６の中央付近まで移動し、それにともない、連結部１５と一体になったノズル５１、５２及び合流部１４も、Ａの矢印左方向へ移動する。このとき、エアフィルター６の左半分の埃は左側のノズル５１、右半分の埃は右側のノズル５２によって清掃される。
【００１７】
また、この移動にともなって、伸縮自在な蛇腹形状の吸引ホース８は連結部１５とつながった右端が、エアフィルター６の右端から中央付近まで移動しながら縮まり、全長はほぼ半分になる。
【００１８】
そして、この実施例によれば、エアフィルターの清掃を自動的に行うことが可能になり、空気調和機の性能維持、及び消費電力の増大防止を図ることができる。
【００１９】
なお、上記実施例では連結部１５が本体の右側にあったが、第１図と左右対称で右側にあっても、上記の説明が左右反対になるだけで、同様の効果を奏することはいうまでも無い。
【００２０】
また、上記実施例ではノズル５１、５２は同時に吸込むこととしていたが、片側ずつ吸込んでも一向に構わない。
【００２１】
さらに、上記実施例では連結部１５が右から左に移動する際（往路）に清掃するとしたが、復路で清掃することも有効である。
【００２２】
【発明の効果】
上記実施例より明らかなように、請求項に記載の発明は、フィルター装置にフィルター枠と、エアフィルターと、フィルターに沿って左右方向に移動可能な吸入ノズルを２個、フィルター左右幅の半分の距離をあけて設け、この吸入ノズルに伸縮自在な吸引ホースを設け、さらに前記吸引ホースに連結する吸引排気装置と排気ダクトを具備したもので、この構成によれば、エアフィルターの清掃を自動的に行うことが可能になり、空気調和機の性能維持、及び消費電力の増大防止を図ることができるという効果を奏する。
【図面の簡単な説明】
【図１】本発明の一実施例を示すフィルター装置の斜視図
【図２】本発明の一実施例を示すフィルター装置の吸入ノズルの外観図（第５図ＩＩ−ＩＩ断面）
【図３】本発明の一実施例を示す図５のＩ−Ｉによる空気調和機の断面図
【図４】本発明の一実施例を示す図５のＩ−Ｉによる空気調和機の断面図
【図５】本発明の一実施例を示す空気調和機の正面図
【図６】従来を示す図７のＩＩＩ  −ＩＩＩ  による空気調和機の断面図
【図７】従来例を示す空気調和機の正面図
【符号の説明】
１  フィルター装置
２  フィルター枠
３  レール（上）
４  レール（下）
５  吸入ノズル
５ａ  吸入口
６  エアフィルター
７  吸引排気装置
８  吸引ホース
９  排気ダクト
１０  駆動用ワイヤー
１１  駆動モータ
１２  熱交換器
１３  本体
１４  合流部
１５  連結部
５１、５２  吸入ノズル
【図１】
2004347227.tif 000003
【図２】
2004347227.tif 000004
【図３】
2004347227.tif 000005
【図４】
2004347227.tif 000006
【図５】
2004347227.tif 000007
【図６】
2004347227.tif 000008
【図７】
2004347227.tif 000009